(57)【特許請求の範囲】
【請求項１】
平面輪郭形が少なくとも三隅に夫々隅切欠き部を有する多角形様のブロック本体となし、該ブロック本体の各隅切欠き部に夫々露出金具部を突設、形成すると共に、同ブロック本体略中央には、その肉厚方向に貫通状とするか、一部肉厚方向に薄肉部を残した陥没状とするかした定着部を形成した上、その周囲となるブロック本体上面には、直線状または曲線状、あるいは直線と曲線を組み合わせてなり、互いに交叉する部分があれば、当該交叉部分において不連続状とした所定高さの凸条部を突設、形成してなるものとしたことを特徴とする護岸用ブロック。
【請求項２】
平面輪郭形が、四隅には夫々四半円形状の隅切欠き部、各辺略中央には夫々半円形状の端切欠き部を有する正方形様のブロック本体となし、該ブロック本体の各隅切欠き部に夫々露出金具部を突設、形成すると共に、同ブロック本体略中央には、その肉厚方向に貫通状とするか、一部肉厚方向に薄肉部を残した陥没状とするかした円形状の定着部を形成した上、その周囲となるブロック本体上面には、平面略井桁状であって、同井桁の交叉部分を不連続状とした所定高さの凸条部を突設、形成してなるものとしたことを特徴とする護岸用ブロック。
【請求項３】
平面輪郭形が少なくとも四隅に隅切欠き部を有する正方形様のブロック本体となし、該ブロック本体の各隅切欠き部に夫々露出金具部を突設、形成すると共に、同ブロック本体略中央には、その肉厚方向に貫通状とするか、一部肉厚方向に薄肉部を残した陥没状とするかした定着部を形成した上、その周囲となるブロック本体上面には、平面略井桁状であって、同井桁の交叉部分を不連続状とした所定高さの凸条部を突設、形成してなるものとし、同一平面内に同一構造のブロック本体を当接状に連続して敷き詰めたときの、隣接する四個のブロック本体における各一個ずつの隅切欠き部が隣接、対峙して形成される空間内に夫々突出状となっている四個の露出金具部を、別体の連結金具でまとめて連結するようにしたことを特徴とする護岸用ブロック。
【請求項４】
定着部は、ブロック本体肉厚方向に薄肉部を残した陥没状のものであって、該薄肉部の略中央には、その肉厚方向に貫通する小孔の穿設されてなるものとした、請求項１ないし３何れか記載の護岸用ブロック。
【請求項５】
施工範囲となる地面を平滑状に整地し、その地面に直接、あるいは定着用のマットを敷設し、複数個の護岸用ブロックを当接状に連続して敷き詰め、各一個ずつの隅切欠き部が隣接、対峙して形成する空間内に夫々突出状となっている複数個の露出金具部を、別体の連結金具でまとめて連結し、全体を一体的に連結した上、隣接するブロック本体の端切欠き部同士が隣接、対峙して形成される空間内、および各ブロック本体の略中央に貫通状に形成した定着部、またはブロック本体肉厚方向に陥没状に形成した定着部に穿設された小孔の全ての箇所、あるいは適宜選択した箇所に木製小杭を打ち立てると共に、凸条部の高さ付近まで土、砂利、石等を敷き詰め、突出状となった木製小杭間に、適宜束ねられた粗朶を掛け渡し状に絡み付けて柵状となすようにしてなる、請求項１ないし４何れか記載の護岸用ブロックを使用した法面工法。
【請求項６】
施工範囲となる地面を平滑状に整地し、その地面に直接、あるいは定着用のマットを敷設し、複数個の護岸用ブロックを当接状に連続して敷き詰め、各一個ずつの隅切欠き部が隣接、対峙して形成する空間内に夫々突出状となっている複数個の露出金具部を、別体の連結金具でまとめて連結し、全体を一体的に連結した上、隣接するブロック本体の端切欠き部同士が隣接、対峙して形成される空間内、および各ブロック本体の略中央に貫通状に形成した定着部、またはブロック本体肉厚方向に陥没状に形成した定着部に穿設された小孔の全ての箇所、あるいは適宜選択した箇所に木製小杭を打ち立てると共に、凸条部の高さ付近まで土、砂利、石等を敷き詰め、突出状となった木製小杭間に、適宜束ねられた粗朶を掛け渡し状に絡み付けて柵状となすよう構成し、該粗朶によって囲まれた範囲内およびその周辺付近を覆土、均整締固め状となし、その上層に植物種子を適宜播種してなる播種ネット体もしくは播種シート体を敷設、定着させたものとしてなる、請求項１ないし４何れか記載の護岸用ブロックを使用した法面工法。
【請求項７】
施工範囲となる地面を平滑状に整地し、その地面に直接、あるいは定着用のマットを敷設し、複数個の護岸用ブロックを当接状に連続して敷き詰め、各一個ずつの隅切欠き部が隣接、対峙して形成する空間内に夫々突出状となっている複数個の露出金具部を、別体の連結金具でまとめて連結し、全体を一体的に連結した上、隣接するブロック本体の端切欠き部同士が隣接、対峙して形成される空間内、および各ブロック本体の略中央に貫通状に形成した定着部、またはブロック本体肉厚方向に陥没状に形成した定着部に穿設された小孔の全ての箇所、あるいは適宜選択した箇所に木製小杭を打ち立てると共に、凸条部の高さ付近まで土、砂利、石等を敷き詰め、突出状となった木製小杭間に、適宜束ねられた粗朶を掛け渡し状に絡み付けて柵状となすよう構成し、該粗朶によって囲まれた範囲内およびその周辺付近に栗石を充填状に敷き詰め、定着させたものとしてなる、請求項１ないし４何れか記載の護岸用ブロックを使用した法面工法。
【発明の詳細な説明】
【０００１】
【発明の目的】
この発明は、護岸等のための法面形成技術に関するものであり、従来より行われているコンクリートブロックを使用した護岸整備にあっては、その水辺環境を人工化してしまって、周辺生態系を少なからず変質させてしまうものであったが、この発明は、河川、ダム、港湾、道路の法面、根固工等を含む施設を、従前までと同等以上の耐久強度を確保しながら、特に、自然な地形の造成を可能とする上、施工以前の植物の植生や生息動物の生態系を極めて早期に回復することができる、新規な構造からなる護岸用ブロック、およびそれを使用した新規な法面工法を提供しようとするものである。
【０００２】
【従来の技術】
我が国における治水事業は、都市の飛躍的な発展とは裏腹に大幅に立ち遅れてしまっていて、既に完成されているかのように見える堤防であっても、その多くのものは高さや幅等といった基本的な堤防機能が必ずしも十分に充足していないだけではなく、洗掘から堤防を保護する護岸や根固め等といった堤防の構造強度に係わる堤防付帯機能についも、補強が必須と見做されるような重要な箇所においても、未だ手付かずのままで経過してしまっているところも多く、それだけでも多くの都市部が洪水の脅威に晒されているとしなければならない上に、浸水を許容してきた多くの遊水池や低地、および降雨を貯溜、浸透させる丘陵や森林原野が次々に造成、宅地化され、新興都市部やその周辺における遊水機能や保水機能は極端に低下してしまっていて、短時間の中にその流水量は増大し、洪水発生時間までの時間が極めて短縮化され、一旦集中豪雨に見舞われた流域等では、その洪水対策に万全を期す間もなく、整備の遅れた箇所から一気に決壊して高密度な都市部に襲い掛り、確実に都市機能を麻痺させ、尊い人命にまで被害が及んでしまうといった具合に、現在の都市部は、水害に対して明らかに脆弱なものとなっている。
【０００３】
このような治水事業の立ち遅れ対策として、比較的施工効率が良く、施工業者も多い上、構造強度上にも秀れている等、信頼性があり、経済的でもある等の理由から、極最近に至る多くの護岸施設は、現場打ちコンクリート構造のものや工場で大量生産可能なコンクリートブロックを用いたものとしての施工が推奨され、少しでも立ち遅れの解消に繋ぐべき努力が長年に渡って続けられてきていた。しかし、これらコンクリートで法面を固めてしまう堤防は、立ち遅れ対策とはいうものの、その河川流域の自然環境を著しく変貌させて浄化作用を減殺させ、水質の汚濁を招くことに相違がないにも拘らず、特にコンクリートブロックを使用した護岸等の場合には、洗掘等によってその基礎部が一部にでも沈下現象を来してしまうと致命的な倒壊に至ってしまうため、急流箇所は固よりのこと、洪水による決壊を考慮した安全面から河川改修の全域に渡る範囲までを、コンクリートによる三面張護岸とせざるを得なくなっており、コンクリートによる治水事業を推進すればする程、自然環境を悪化させてしまうという悪循環に陥っているのが現状である。
【０００４】
そこで、最近では、こうした現状を打開する必要性が問い直され、治水事業の立ち遅れからくる緊急時の水害対策についての重要性と同様、あるいはそれ以上の判断から、平常時における河川の環境問題を重視し、河川は自然環境の一部であって、河川流域は自然公物であるとの基本理念に基づき、安全対策としての河川改修と共に、自然環境の保全と、豊かで潤いのある多様な環境創出とを合わせて実現可能にする河川利用や治水事業が必要で、地域住民に親しまれる多自然型や親水性を配慮した河川環境の整備、改修へと軌道修正され、治水、利水、環境に適った護岸の施工が推進されるようになってきている。
【０００５】
そうした動きを代表する事例として、間伐材を利用して格子状に組み合わせたものや、雑木の枝を束ねた粗朶等、木質素材からなるものを幾つも連ねたり、升目が形成されるように並べる等して木工土留めや木工沈床を形成し、コンクリートと略同等の耐久強度を有する土砂や石等と組み合わせていくようにした護岸構造が見直され、現実に多数施工されるようになっており、その結果、河岸には草木が茂る自然な景観が蘇り、様々な動植物の生息も確認され始めるようになると共に、河川の浄化作用も確実に進行し、水質の改善に大いに役立ってきていること等も報告されているが、これら間伐材の組合せ利用も粗朶の敷設も、かってコンクリートが登場する以前に普通に採用されていた手法であって、確かに自然に優しい構造の実現には適っているものの、極めて施工効率が悪い上、その構造如何、特に根固め如何によっては護岸強度を極端に低下させたり、あるいは護岸強度を確立するまでに相当の期間を要し、その間の安全面に支障を来してしまうといった不都合を生じてしまうものであった。
【０００６】
この発明は、以上のような状況に対処し、人々に親しまれる自然な景観と、動植物の繁殖に適する自然環境との実現に支障を来すことなく、且つコンクリート製の護岸施設のように強固であって、洪水による洗掘や度重なる波浪等による崩壊もなく、更には軟弱な地形や地盤の沈降等に対しても十分耐え得るだけの構造強度を持つようにした護岸構造の実現が可能にならないものかとの判断から、逸速くその開発、研究に着手し、長期に渡る試行錯誤と幾多の試作、実験とを繰り返してきた結果、今回、遂に新規な構造からなる護岸用ブロックと、それを使用した新規な法面工法とを実現化することに成功したものであり、以下では、図面に示すこの発明を代表する幾つかの実施例と共に、その構成を詳述していくこととする。
【０００７】
【発明の構成】
図面に示すこの発明を代表する実施例からも明確に理解されるように、この発明に包含される護岸用ブロックは、基本的に次のような構成から成り立っているものである。
即ち、平面輪郭形が少なくとも三隅に夫々隅切欠き部を有する多角形様のブロック本体となし、該ブロック本体の各隅切欠き部に夫々露出金具部を突設、形成すると共に、同ブロック本体略中央には、その肉厚方向に貫通状とするか、一部肉厚方向に薄肉部を残した陥没状とするかした定着部を形成した上、その周囲となるブロック本体上面には、直線状または曲線状、あるいは直線と曲線を組み合わせてなり、互いに交叉する部分があれば不連続状とした所定高さの凸条部を突設、形成してなる如く構成された護岸用ブロックである。
【０００８】
この基本的な構成からなる護岸用ブロックを、より具体的な構成のものとして示すと、平面輪郭形が、四隅には夫々四半円形状の隅切欠き部、各辺略中央には夫々半円形状の端切欠き部を有する正方形様のブロック本体となし、該ブロック本体の各隅切欠き部に夫々露出金具部を突設、形成すると共に、同ブロック本体略中央には、その肉厚方向に貫通状とするか、一部肉厚方向に薄肉部を残した陥没状とするかした円形状の定着部を形成した上、その周囲となるブロック本体上面には、平面略井桁状であって、同井桁の交叉部を不連続状とした所定高さの凸条部を突設、形成してなる構成を要旨とした護岸用ブロックということができる。
【０００９】
更に具体的には、平面輪郭形が少なくとも四隅に隅切欠き部を有する正方形様のブロック本体となし、該ブロック本体の各隅切欠き部に夫々露出金具部を突設、形成すると共に、同ブロック本体略中央には、その肉厚方向に貫通状とするか、一部肉厚方向に薄肉部を残した陥没状とするかした定着部を形成した上、その周囲となるブロック本体上面には、平面略井桁状であって、同井桁の交叉部を不連続状とした所定高さの凸条部を突設、形成してなるものとし、同一平面内に同一構造のブロック本体を当接状に連続して敷き詰めたときの、隣接する四個のブロック本体における各一個ずつの隅切欠き部が隣接、対峙して形成される空間内に夫々突出状となっている四個の露出金具部を、別体の連結金具でまとめて連結するよう構成を要旨とする護岸用ブロックであるということもできる。
【００１０】
ブロック本体は、地中に定着して法面を補強、強化する機能を果たすものであって、所定範囲に敷き詰められた複数個を互いに連結、一体化させ、崩壊や脱落を阻止できる構造としなければならず、その平面形状を、三角形様、矩形様または六角形様等、不要な隙間を然程形成することなく、略隣接状に敷き詰めることができる多角形様のものに形成されていなければならず、河岸、海岸等の土中、河床、海底、湖底等の水中に定着し易く、不用意に浮上してしまわないだけの充分な重量と耐久強度とを有するコンクリート製のものとなし、それらの機能を有するものであれば通気、通水性を有するポーラス構造とすることも可能であって、後述するとおり、土中への定着を強化する凹凸形状や粗朶を設置するための木製小杭を打設可能とする装着孔を形成したものとする必要がある。
【００１１】
隅切欠き部は、ブロック本体の角部に切欠き状の凹欠部を形成し、その空間部内に露出金具部を設置可能とし、隣接するブロック本体相互を連結状とするための空間を実現する機能を果たすものであり、少なくとも上方と側方の一部とを開放して凹欠状に形成され、複数個のブロック本体の隅切欠き部同士を隣接、対峙させたときに、露出金具部とは別体に形成された連結金具を、上方から露出金具部に取り着け可能な程度の空間を確保できる寸法、形状のものに設定されていなければならず、製造上あるいは取り扱い上等の観点からは、全ての隅切欠き部が、互いに同じ形状のものに形成され、しかも土中への定着強度にもばらつきを生じさせることのないようにした構成のものとするのが望ましい。
【００１２】
露出金具部は、各ブロック本体に形成された隅切欠き部に突設、形成されていて、別体の連結金具により、隣接状となる他のブロック本体のそれと一まとめにされた連結構造を実現可能とする機能を果たすものであって、少なくともブロック本体の吊り上げに耐えるだけの充分な強度を有するものとしなければならず、別体の連結金具を用いて連結可能な略環状に形成するのが望ましいが、隣接する露出金具部に直接的に繋着可能な鈎状、あるいは開閉可能な南京錠のように連結および離脱ができる係合金具状としたもの等とすることもできる上、一方を鈎状とし、これに対峙する他方側のものが、先の鈎形状部を係合可能とする環状のもの等に形成するようにしたものでも差し支えはない。
【００１３】
端切欠き部は、地中に埋設されたときに、ブロック本体周縁部が周囲の土や石等に噛合状となって摩擦力を高め、定着力を強化する機能を果たすものであり、上下肉厚方向に貫通状あるいは陥没状をなす形状としなければならず、凹欠形状あるいは凹凸形状として、地下側と地上側とを連通させる空間が確保されるようにし、透水性や通気性を確保して生態系を維持可能な構造とするのが望ましく、隣接するブロック体同士の対峙する周縁部分同士が、互いに移動不可能な状態に噛合する凹凸形状を有するものとすることが可能である外、薄肉部を有する陥没状に形成された場合には、一部適所に粗朶を設置するための木製その他の杭を打ち込むのに最適となるような、上下肉厚方向に貫通する小孔を穿孔した構造とすることができる。
【００１４】
定着部は、ブロック本体の略中央部に、上方に敷き詰められた土や石等の一部を収容し、地中への定着力を高めると共に、敷設された土や石等が容易に流出、離脱してしまうことがないよう、ブロック本体上への定着力を強化し得るようにする機能を果たすものであって、特にその平面形に制限はないものの、製造上あるいは取り扱い上、製品外観状等の点を考慮すれば、先の隅切欠き部が寄せ集まって形成される空間形状のものに略等しいか相似するものに形成すべきであり、それらは上下方向に貫通したものとすることが可能である外、上下肉厚方向の略中央もしくは底部側に薄肉部を形成した陥没状のものとすることもでき、更に、その薄肉部に上下に貫通する小孔を穿孔し、木製その他の小杭を打ち立て可能な構造のものとすべきである。
【００１５】
凸条部は、ブロック本体上側面を、上層に敷き詰める土や石に対して噛合状として地中への定着具合を強化し、逆にそれら上層に敷き詰めた土や石等の流出、離脱を阻止する機能を果たすものであり、上層の土や石の連続性を確保するよう、ブロック本体中央部の定着部を囲む不連続な凸形状とするよう形成しなければならず、一部が連続し、他の一部が不連続となる波形を含む曲線状や直線状に配置された凸条型に形成すべきであって、強い定着力を得るのには、直交する二方向に平面略井桁状に配置し、その交叉部を不連続状とした所定高さに突設してなるものとするのが望ましい。
【００１６】
連結金具は、当接状に敷き詰めた複数個の護岸用ブロックの各露出金具部を一まとめに連結することができ、その結果、敷き詰めた複数個の護岸用ブロック全体が一枚板状の一体的なものに連結されてしまうようにする機能を果たすものであり、護岸用ブロックに加わる外力によって不用意に離脱したり、破損してしまうことのない充分な強度を有するものとしなければならず、護岸用ブロックの敷設現場にて容易に装着可能な構造のものを採用すべきであって、溶接やカシメ作業等を必要とせず、手作業もしくはスパナレンチ等の一般的な工具を使用して簡単且つ短時間の中に装着することができる構造を有するものに形成すべきであり、場合によっては、シャックル等公知の連結金具で代用することも勿論可能である。
【００１７】
【関連する発明】
上記した護岸用ブロックに関連し、この発明には、上記したとおりの構成からなるこの発明の護岸用ブロックを使用する法面工法も包含しており、その構成の要旨とするところは、基本的に次のとおりのものである。
即ち、施工範囲となる地面を平滑状に整地し、その地面に直接、あるいは定着用のマットを敷設し、複数個の護岸用ブロックを当接状に連続して敷き詰め、各一個ずつの隅切欠き部が隣接、対峙して形成する空間内に夫々突出状となっている複数個の露出金具部を、別体の連結金具でまとめて連結し、全体を一体的に連結した上、隣接するブロック本体の端切欠き部同士が隣接、対峙して形成される空間内、および各ブロック本体の略中央に貫通状に形成した定着部、またはブロック本体肉厚方向に陥没状に形成した定着部に穿設された小孔の全ての箇所、あるいは適宜選択した箇所に木製小杭を打ち立てると共に、凸条部の高さ付近まで土、砂利、石等を敷き詰め、突出状となった木製小杭間に、適宜束ねられた粗朶を掛け渡し状に絡み付けて柵状となすようにした法面工法である。
【００１８】
また、この基本的な構成からなる法面工法は、更に具体的には、施工範囲となる地面を平滑状に整地し、その地面に直接、あるいは定着用のマットを敷設し、複数個の護岸用ブロックを当接状に連続して敷き詰め、各一個ずつの隅切欠き部が隣接、対峙して形成する空間内に夫々突出状となっている複数個の露出金具部を、別体の連結金具でまとめて連結し、全体を一体的に連結した上、隣接するブロック本体の端切欠き部同士が隣接、対峙して形成される空間内、および各ブロック本体の略中央に貫通状に形成した定着部、またはブロック本体肉厚方向に陥没状に形成した定着部に穿設された小孔の全ての箇所、あるいは適宜選択した箇所に木製小杭を打ち立てると共に、凸条部の高さ付近まで土、砂利、石等を敷き詰め、突出状となった木製小杭間に、適宜束ねられた粗朶を掛け渡し状に絡み付けて柵状となすよう構成し、該粗朶によって囲まれた範囲内およびその周辺付近を覆土、均整締固め状となし、その上層に植物種子を適宜播種してなる播種ネット体もしくは播種シート体を敷設、定着させるようにした構成を要旨とする法面工法であるということができる。
【００１９】
更に、他の表現で示すならば、施工範囲となる地面を平滑状に整地し、その地面に直接、あるいは定着用のマットを敷設し、複数個の護岸用ブロックを当接状に連続して敷き詰め、各一個ずつの隅切欠き部が隣接、対峙して形成する空間内に夫々突出状となっている複数個の露出金具部を、別体の連結金具でまとめて連結し、全体を一体的に連結した上、隣接するブロック本体の端切欠き部同士が隣接、対峙して形成される空間内、および各ブロック本体の略中央に貫通状に形成した定着部、またはブロック本体肉厚方向に陥没状に形成した定着部に穿設された小孔の全ての箇所、あるいは適宜選択した箇所に木製小杭を打ち立てると共に、凸条部の高さ付近まで土、砂利、石等を敷き詰め、突出状となった木製小杭間に、適宜束ねられた粗朶を掛け渡し状に絡み付けて柵状となすよう構成し、該粗朶によって囲まれた範囲内およびその周辺付近に栗石を充填状に敷き詰め、定着させたものとする法面工法であるということもできる。
【００２０】
施工範囲となる地面は、当該護岸用ブロックを用いた法面工法を実施可能な地形の全てを含むものであって、具体的には、河岸、河床、ダム、海岸、港湾、および道路の法面等であるということができ、例えば護岸工、法留工、法覆工、根固工、水制工、護床工、暗渠排水工等を対象とし、複数の護岸用ブロックを別体の連結金具で連結する構造とすることにより、傾斜地から平坦な土地への連続する地面にも設置可能である外、連結金具による連結部分が充分な屈撓性を発揮し得るので、急流や洪水等によって洗掘が発生し易い場所や、不等沈下の発生し易い軟弱地盤等についても、その施工範囲の対象とすることが可能である。
【００２１】
定着用マットは、護岸用ブロック間の隙間から土砂を流失させてしまったり、洗堀による崩壊してしまったりすることを阻止し、複数の護岸用ブロックと地面との間に介在して護岸用ブロックの無用な沈み込みや、ズレ動きを阻止し、あるいは水の浸透を防止する等の機能を果たすものとすることができ、護岸用ブロックや覆土等による荷重を受けて破損してしまうことのない充分な強度を有するものを採用すべきであり、天然繊維素材や合成繊維素材等からなる透水性のあるシートを使用したり、合成ゴムや合成樹脂からなる防水シート等を用いることが可能である。
【００２２】
小杭は、護岸用ブロックの土や石等が敷き詰められた何れかの箇所に、貫を形成する粗朶の束を支柱状に支持する機能を果たすものであって、粗朶を絡めて作られる柵状体を支持するに充分な寸法および強度を有する木製素材からなるものを選択すべきであり、加工木材や集成材を用いることも可能ではあるが、資源の有効利用からして間伐材等、比較的利用価値の少ない天然木材によるものとし、その先端部を打ち込み容易な先鋭状に削り取ったものとして使用するのが望ましいといえる。
【００２３】
粗朶は、小杭間に掛け渡し状に絡み付けられ、柵状の貫部分を形成する機能を果たすものであり、適度な透水性を有すると共に、堅固なる粘質性をもつ木質素材を採用するものであり、自然に生息する広葉樹、具体的には、栗、楢、クロモジ、牛殺し、ツバキ、マンサク、樫、カエデ、サクラ、エゴ、リョウブ、ナナカマド等、多様な雑木の枝から、小杭間に掛け渡し状に取着可能な程度の長さ寸法のものに略切り揃えられたものを適宜直径となるように一まとめにした上、それら適所を、針金、ビニール紐、ロープ、藁縄等を用いて束ね、不用意に崩壊、分離してしまうことがないようしたものとし、土中に埋入されて適宜期間を経過すると自然に定着して植生、繁茂し、再び雑木となって粗朶の原材料に活用できるものとなる。
【００２４】
播種ネットおよび播種シート体は、法面工法を施した地面の表層に草花や草木等を繁殖させ、施工後の早期の中に植物の根が法面を補強し、且つ動植物の生態系を復元する機能を果たすものであり、生分解性を有する素材からなるネットやシート体に、植物種子を含む塗料を吹き付け塗装したものや、植物種子を含む粘着剤を付着、乾燥させてなるもの等、既にこの主の用途に供されているものの使用が可能であり、植物が充分に根付くまでの間、簡単に移動してしまわないよう、杭や重石等で確り定着させるよう敷設しなければならない。
以下、図面に示すこの発明を代表する幾つかの実施例について具体的な説明を加えることにより、この発明がより明確に把握できるようにする。
【００２５】
【実施例１】
図１の護岸用ブロックの斜視図、図２の護岸用ブロックを設置する状態の斜視図、および図３の護岸用ブロック同士の連結構造の斜視図に示される事例は、四隅に隅切欠き部を有する正方形様の平面輪郭形に形成したブロック本体に形成したものであって、この発明の基本的構成な構成を兼ね備えた護岸用ブロックの代表的な一実施例を示すものであり、護岸用ブロック１は、平面輪郭形状が一辺を約１ｍ前後の寸法に設定された正方形様であって、上下肉厚寸法が約１６０ｍｍのコンクリート製ブロック本体１１からなり、その四隅には、夫々半径１２０〜１５０ｍｍ程度の四半円形状となる平面扇形状の隅切欠き部２，２，……が上下肉厚方向に渡り形成され、また、外郭側壁部を形成する各四辺の略中央には、同様に半径１２０〜１５０ｍｍ程度の平面半円形状の半円扇形状をなす、端切欠き部３，３，……を上下肉厚部分に渡って形成してなるものである。
【００２６】
隅切欠き部２，２，……の上下左右略中央の壁面部には、基部をブロック本体１１内に埋設状に埋め込む状態に一体化された、略Ｕ字型状の露出金具部２１，２１，……を、ブロック本体の正方形様の対角線方向へ向けて突出するよう設け、ブロック本体１１の中央には、直径２４０〜３００ｍｍ程度の平面円形状の定着部４を上下肉厚方向に貫通するよう形成し、該定着部４の周囲となるブロック本体上面には、幅１２０ｍｍ程度、高さ１２０ｍｍ程度に設定された直線状の凸条部５，５，……を、平面略井桁状の配置とし、交叉部の一方を不連続状に分断したものに突設、形成している。
【００２７】
複数の護岸用ブロック１，１，……は、図２中に示すように，平滑状に整地された地上に整然と整列状に敷き詰められた状態に敷設可能であり、図３に示されるように，敷き詰めた四個の護岸用ブロック１，１，……の互いの隣接、対峙状に配置する露出金具部２１，２１，……を、シャックルからなる別体の連結金具６でまとめ、一体的に連結することが可能な構造としてある。
【００２８】
【実施例２】
図６の陥没状の定着部を有する護岸用ブロックの斜視図に示される事例は、この発明の護岸用ブロックに包含される他の実施例を示すものであり、底部壁面を略平面正方形状とし、防水性を確保可能とするよう構成されたものであり、護岸用ブロック１は、底面側の肉薄部４１，４１，……を除く基本形状を、図１に示した前述の護岸用ブロックと同様とし、隅切欠き部２，２，……、端切欠き部３，３，……、および定着部４の夫々を陥没状に形成し、上下肉厚約５０ｍｍ前後の肉薄部４１，４１，……を形成し、中央の定着部４の中心部分には、肉薄部４１を上下肉厚方向に貫通する直径２０〜５０ｍｍ程度の小孔４２を穿孔したものに形成されたものとなっている。
【００２９】
【作用】
以上のとおりの構成からなるこの発明の護岸用ブロック１は、図２の護岸用ブロックを設置する状態の斜視図、図４の設置した護岸用ブロック上に覆土した状態の斜視図、図５の護岸用ブロックに粗朶を施す状態の斜視図に、各工程が示される護岸用ブロックを使用する法面工法によって施工可能である。
即ち、図２中に示すように施工範囲となる傾斜した地面を平滑状に整地した上、設置当初のブロックの沈下を防ぐと共に、透水性を確保できる厚地の天然繊維からなるフェルト状のマット７を敷設し、施工範囲の敷地下端に沿って、図示していない止水矢板を所定深さまで打設し、同止水矢板上端に下面に形成された嵌合用溝部を噛合状とするようにして法留ブロック８，８，……を設置するか、または、該止水矢板上端に型枠を組み付け、その型枠にコンクリートミルクを流し込み、法留ブロック８，８，……を直接的に打設形成する。
【００３０】
こうして直線状に配列された法留ブロック８，８，……を基準とし、一端面を当接させるようにして、図１に示す護岸用ブロック１，１，……の複数個を連続して敷き詰め、隣接し対峙する隅切欠き部２，２，……が形成する空間内に夫々突出状となっている複数個の露出金具部２１，２１，……を、シャックルからなる別体の連結金具６で一体的にまとめ、ある程度の角度範囲で屈撓性を確保した状態に連結し、施工範囲に渡って敷設された護岸用ブロック１，１，……全体を一体化する。
【００３１】
図４中に示すように、平面半円形に形成された端切欠き部３，３を対峙させることによって形成される略円筒形状の空間部と、定着部４，４，……の夫々の中心付近に、所定高さの木製小杭４３，４３，……を打ち立てると共に、各端切欠き部３，３，……で形成される空間部および定着部４，４，……を含む凸条部５，５，……の高さ付近まで土を敷き詰めた後、図５中に示すように、突出状となっている木製小杭４３，４３，……の隣接するもの同士の間に、適宜束ねられた粗朶４４，４４，……を掛け渡し状に絡み付け、要所要所を縄や蔓等を用いて柵状となるよう縛り付けて組み立て、木製小杭４３，４３，……と粗朶４４，４４，……とによって組み立てられた柵構造の範囲内、およびその周辺付近に土、砂、栗石等を敷き詰め、均整締固め状とし、必要に応じてその上層に草花の種子を定着させた図示していない種子シートを敷設する。
【００３２】
また、図６に示すように、隅切欠き部２，２，……、端切欠き部３，３，……および定着部４の底面付近に肉薄部４１を形成した護岸用ブロック１を敷設する場合にも、図２ないし図５に示した工程と略同様の敷設が可能であり、護岸用ブロック１，１，……の下層に敷設するマット７に天然ゴムや合成樹脂等の素材からなるシートを用いれば透水を防ぐものとなり、木製小杭４３，４３，……を打ち立てる際には、定着部４の小孔４２に打ち立て、隅切欠き部２，２，……および端切欠き部３，３，……が形成する空間部内には、木製小杭４３，４３，……の下端が薄肉部４１に達する深さまで埋設し、粗朶４４，４４，……を柵状に装着することが可能である。
【００３３】
【効果】
以上のとおり、この発明の護岸用ブロックによれば、工場生産されたブロックを輸送および敷設する際に、四隅に設けられた露出金具部をクレーン等で吊り下げ移動させ、施工範囲に隣接するよう敷き詰め、対峙状に配置された複数個の露出金具部を別体の連結金具でまとめて連結することにより、隣接するブロック同士が、所定角度範囲で屈撓可能な状態で一体化され、設置場所に沈下等の地形の変動が生じても、不用意にブロックが剥がれたり、沈み込んで法面が崩壊してしまうことを防止することができ、端切欠き部や定着部に土や石等を充填した状態に地中に埋設すれば、地表と、ブロック本体を挟んだ地下との土壌を連続したものとして、強固な定着構造を形成することができる上、定着部や端切欠き部が形成する空間部に小杭を打ち立て、粗朶を絡み付け、粗朶柵工や粗朶沈床等を形成可能な構造なので、生態系を分断することがなく、自然環境にもやさしい法面を造りだすことができるという秀れた特徴を得ることができるものである。
【００３４】
また、この発明の護岸用ブロックを用いた法面工法によれば、複数の護岸用ブロックを敷き詰めた状態で連結し、地中に埋設状とすることによってコンクリートブロックによる強固な法面を形成することができる上、該護岸用ブロックの定着部および端切欠き部が形成する空間部の夫々に小杭を打ち立て、各小杭間に粗朶を絡み付けることにより、コンクリートブロックだけでは得ることができなかった自然の生態系を確保することができる法面を実現することができ、施工後には良好な自然環境を回復することが可能となり、更に、粗朶柵工を施した範囲に土や砂、栗石等を充填、敷設したものとして、水際や河床等において土壌の流失や洗掘を防止し、水生植物の繁殖を促し、良好な魚礁を作り出すものとなり、河川の自然な浄化作用を引き出し、汚濁の発生を抑えて清浄な水質に保つことができるようになる外、陸上に設置した部分では、粗朶柵工を埋設した上層に、播種ネット体や播種シート体を敷設、定着させたものとして極めて早期の中に、改修前と同等の自然環境を回復させることができるという秀れた効果を発揮するものとなる。
【００３５】
特に、実施例に説明した護岸用ブロック、およびそれを使用する法面工法は、上記した特徴に加え、平面正方形様の護岸用ブロック１の一辺を約１メートル前後という寸法に設定したことにより、それよりも大型もしくは小型に形成された他ブロックよりも敷設作業を効率的に行うことができる上、図１および図３に示したように、定着部４および対峙させた端切欠き部３，３によって形成される空間部の形状を直径２４０〜３００ｍｍ程度の略円筒形状に揃えた構造とすることにより、地中に埋設された場合の敷設範囲に渡る上下地層の連結強度を均等なものにすると共に、全体的な透水性を均質なものとすることができるので、法面強度の確保と自然環境の保全との双方を同時に実現可能とすることができるという効果が得られるものとなる。
【００３６】
また、平面略井桁状に形成した凸条部５，５，……の交叉部を不連続状としてあって、敷設範囲に渡る上層覆土の連結強度を確保すると共に、水捌けを良くした法面形成の実現が可能になり、更に、定着部４および端切欠き部３，３によって形成された空間部の夫々に打ち立てられた木製小杭４３，４３，……間に、粗朶４４，４４，……を掛け渡す状態に絡み付けた構造としてあって、木製小杭４３，４３，……を地面に直接打ち立てた粗朶柵工に比較し、格段に強い定着力を期待できるものとすることができるので、多自然型の施設として注目されながら、これまで洗掘や沈降に対する耐久強度の面で不安があり、設置不可能とされていたような箇所にも、十分な強度を確保した上、自然に優しい粗朶柵工の実現が容易になるという卓越した特徴を有するものとなっている。
【００３７】
叙述の如く、この発明の護岸用ブロック、およびそれを使用する法面工法は、その新規な構成によって所期の目的を遍く達成可能とするものであり、しかも製造も容易であって、従前からのコンクリートブロックを敷設しただけの法面施設に比較し、洗掘や沈降に対する耐久強度に秀れ、長期的な観点からして遥かに経済的なものとすることができる上、施工作業の効率自体も大幅に高めることができ、費用の削減と工期の短縮とを確実に達成可能にするものであり、自然環境の保全にも大いに威力を発揮することから、遅れ気味の治水事業の推進に何等支障を来すこともなく、しかも利水、環境保全という本来護岸に必要であった筈の機能も十分満足させることができるようにする護岸構造として、河川管理者や建設業界は固よりのこと、一般市民からも高い評価が得られるものとなって、広範に渡って利用、普及していくものと予想される。
【図面の簡単な説明】
図面は、この発明の護岸用ブロック、およびそれを使用する法面工法の技術的思想を具現化した代表的な幾つかの実施例を示すものである。
【図１】護岸用ブロックの構造を示す斜視図である。
【図２】護岸用ブロックを法面に敷き詰める作業を示す斜視図である。
【図３】護岸用ブロックの連結構造を示す斜視図である。
【図４】木製小杭を打ち立てた状態を示す法面の斜視図である。
【図５】粗朶を柵状に設置した状態を示す斜視図である。
【図６】底面部付近に肉薄部を形成した護岸用ブロックを示す斜視図である。
【符号の説明】
１      護岸用ブロック
１１    同  ブロック本体
２      隅切欠き部
２１    同  露出金具部
３      端切欠き部
４      定着部
４１    同  肉薄部
４２    同  小孔
４３    同  木製小杭
４４    同  粗朶
５      凸条部
６      連結金具（シャックル）
７      マット
８      法留ブロック
【図１】
0003755806.tif 000002
【図２】
0003755806.tif 000003
【図３】
0003755806.tif 000004
【図４】
0003755806.tif 000005
【図５】
0003755806.tif 000006
【図６】
0003755806.tif 000007